(57)【要約】【課題】端末のアップリンクシミュレーションデータのローディング方法及び端末が本発明によって開示され、無線通信分野に関する。この方法は、端末の電源を入れた後、シミュレーションデータを端末のアップリンク主制御デジタルシグナルプロセッサのメモリに導入し、端末がアップリンクアクセスを行って、アクセスに成功した後、シミュレーションデータをチャネル化されたメモリに送信し、端末が、各アップリンクサブフレームにおいて、シミュレーションデータに逆高速フーリエ変換（ＩＦＦＴ）を行って、高周波ユニットを介して変換後のシミュレーションデータを基地局に送信するステップを含む。
2013531408.tif 000002
【特許請求の範囲】
【請求項１】
端末の電源を入れた後、シミュレーションデータを前記端末のアップリンク主制御デジタルシグナルプロセッサのメモリに導入し、
前記端末がアップリンクアクセスを行って、アクセスに成功した後、前記シミュレーションデータをチャネル化されたメモリに送信し、
前記端末が各アップリンクサブフレームにおいて前記シミュレーションデータに逆高速フーリエ変換を行って、高周波ユニットを介して変換後の前記シミュレーションデータを基地局に送信するステップを含むことを特徴とする端末のアップリンクシミュレーションデータのローディング方法。
【請求項２】
前記端末が周波数分割複信転送モードを採用する場合、前記端末が各アップリンクサブフレームにおいて、前記シミュレーションデータに逆高速フーリエ変換を行うことは、前記端末が、各転送時間間隔ＴＴＩの中断が来ると、前記シミュレーションデータに逆高速フーリエ変換を行うことを含むことを特徴とする請求項１に記載の方法。
【請求項３】
前記端末が時分割複信転送モードを採用する場合、前記端末が各アップリンクサブフレームにおいて、前記シミュレーションデータに逆高速フーリエ変換を行うことは、前記端末が、各転送時間間隔ＴＴＩの中断が来ると、現在のＴＴＩがアップリンクサブフレームのスケジューリングに所属するか否かを判定し、ＹＥＳであると、前記シミュレーションデータに逆高速フーリエ変換を行うことを含むことを特徴とする請求項１に記載の方法。
【請求項４】
前記シミュレーションデータは、予めアルゴリズムのシミュレーションプラットホーム処理を経たデータであり、少なくとも、複数の端末をシミュレーションしたサービスデータ、雑音又は雑音とサービスデータからなるデータの中の一つを含むことを特徴とする請求項１〜３のいずれか１項に記載の方法。
【請求項５】
前記シミュレーションデータに逆高速フーリエ変換を行う前、
前記シミュレーションデータに巡回冗長検査ＣＲＣを行って、前記ＣＲＣ検査に成功した後、前記シミュレーションデータに対する逆高速フーリエ変換を行うことをさらに含むことを特徴とする請求項１〜３のいずれか１項に記載の方法。
【請求項６】
端末の電源を入れた後、シミュレーションデータを前記端末のアップリンク主制御デジタルシグナルプロセッサのメモリに導入するように設置されるデータ導入モジュールと、
前記端末がアップリンクアクセスに成功した後、前記シミュレーションデータをチャネル化されたメモリに送信するように設置されるデータ伝送モジュールと、
各アップリンクサブフレームにおいて、前記シミュレーションデータに逆高速フーリエ変換を行って、高周波ユニットを介して変換後の前記シミュレーションデータを基地局に送信するように設置される送信モジュールと、
を含むことを特徴とする端末。
【請求項７】
前記端末が周波数分割複信転送モードを採用する場合、前記送信モジュールは、
各転送時間間隔ＴＴＩの中断が来ると、前記シミュレーションデータに逆高速フーリエ変換を行うように設置される第１のデータ変換ユニットと、
高周波ユニットを介して変換後の前記シミュレーションデータを基地局に送信するように設置される第１の送信ユニットと、
を含むことを特徴とする請求項６に記載の端末。
【請求項８】
前記端末が時分割複信転送モードを採用する場合、前記送信モジュールは、
各転送時間間隔ＴＴＩの中断が来ると、現在のＴＴＩがアップリンクサブフレームのスケジューリングに所属するか否かを判定し、ＹＥＳであると、前記シミュレーションデータに逆高速フーリエ変換を行うように設置される第２のデータ変換ユニットと、
高周波ユニットを介して変換後のシミュレーションデータを基地局に送信するように設置される第２の送信ユニットと、
を含むことを特徴とする請求項６に記載の端末。
【請求項９】
前記データ導入モジュールにより導入されるシミュレーションデータは、予めアルゴリズムのシミュレーションプラットホーム処理を経たデータであり、少なくとも、複数の端末をシミュレーションしたサービスデータ、雑音又は雑音とサービスデータからなるデータの中の一つを含むことを特徴とする請求項６〜８のいずれか１項に記載の端末。
【請求項１０】
前記チャネル化されたメモリ中のシミュレーションデータに巡回冗長検査ＣＲＣを行って、前記ＣＲＣ検査に成功した後、前記シミュレーションデータに対して逆高速フーリエ変換を行うように前記送信モジュールをトリガーする検査モジュールをさらに含むことを特徴とする請求項６〜８のいずれか１項に記載の端末。
【発明の詳細な説明】
【技術分野】
【０００１】
本発明は、無線通信分野に関し、具体的に、端末のアップリンクシミュレーションデータのローディング方法及び端末に関するものである。
【背景技術】
【０００２】
無線通信システムにおいて、ユーザ機器（User  Equipment、以下ＵＥと略称、端末とも言う）のアップリンク送信チェーンは、主に、データ符号化（Data  Code）、変調（Modulation）、チャネル化（Channelization）、ＩＦＦＴ（Inverse  Fast  Fourier  Transform、逆高速フーリエ変換）、無線高周波ユニットを介して、データをキャリア信号の方式で送信する処理を完成する。
【０００３】
通常、指定された帯域幅において、一つのＵＥは、同一の時間内において一つの単一のＵＥのデータサービスのみをローディングして送信するしかできなく、複数のＵＥのデータサービスを同時にローディングして送信することはできない。基地局の耐干渉能力をテストしようとする場合、二つのＵＥに互いに干渉しつつデータサービスを送信させるが、通常の単一のＵＥがこのようにすることができない。複数のＵＥに同時にサービステストを行おうとしても、実際にテスト用のそれほどのＵＥがなく、通常の単一のＵＥも当該需要を満たすことができない。基地局が雑音干渉と正常のサービスデータを同時に受信した場合の状態をテストしようとする場合、通常の単一のＵＥは当該需要も満たすことができない。
【０００４】
既存技術において、単一のＵＥが複数のＵＥのデータサービスを同時にローディングすることができない問題について、未だに有効な解決案が提出できていない。
【発明の概要】
【発明が解決しようとする課題】
【０００５】
本発明は、少なくとも上記の問題を解決できる端末のアップリンクシミュレーションデータのローディング方法及び端末を提供することをその目的とする。
【課題を解決するための手段】
【０００６】
本発明の一態様によると、端末の電源を入れた後、シミュレーションデータを端末のアップリンク主制御デジタルシグナルプロセッサのメモリに導入し、端末がアップリンクアクセスを行って、アクセスに成功した後、シミュレーションデータをチャネル化されたメモリに送信し、端末が各アップリンクサブフレームにおいてシミュレーションデータに逆高速フーリエ変換を行って、高周波ユニットを介して変換後のシミュレーションデータを基地局に送信する端末のアップリンクシミュレーションデータのローディング方法を提供する。
【０００７】
当該端末が周波数分割複信転送モードである場合、上記端末が各アップリンクサブフレームにおいて、シミュレーションデータに逆高速フーリエ変換を行うステップが、端末が、各転送時間間隔ＴＴＩの中断が来ると、シミュレーションデータに逆高速フーリエ変換を行うことを含むことが好ましい。
【０００８】
端末が時分割複信転送モードを採用する場合、上記端末が各アップリンクサブフレームにおいて、シミュレーションデータに逆高速フーリエ変換を行うことは、端末が、各転送時間間隔ＴＴＩの中断が来ると、現在のＴＴＩがアップリンクサブフレームのスケジューリングに所属するか否かを判定し、ＹＥＳであると、シミュレーションデータに逆高速フーリエ変換を行うことを含むことが好ましい。
【０００９】
上記シミュレーションデータは、予めアルゴリズムのシミュレーション プラットホーム処理を経たデータであり、少なくとも、複数の端末をシミュレーションしたサービスデータ、雑音又は雑音とサービスデータからなるデータの中の一つを含むことが好ましい。
【００１０】
上記シミュレーションデータに逆高速フーリエ変換を行う前、シミュレーションデータに巡回冗長検査ＣＲＣを行って、ＣＲＣ検査に成功した後、シミュレーションデータに対する逆高速フーリエ変換を行うことをさらに含むことが好ましい。
【００１１】
本発明の他の一態様によると、端末の電源を入れた後、シミュレーションデータを端末のアップリンク主制御デジタルシグナルプロセッサのメモリに導入するように設置されるデータ導入モジュールと、端末がアップリンクアクセスに成功した後、シミュレーションデータをチャネル化されたメモリに送信するように設置されるデータ伝送モジュールと、各アップリンクサブフレームにおいて、シミュレーションデータに逆高速フーリエ変換を行って、高周波ユニットを介して変換後のシミュレーションデータを基地局に送信するように設置される送信モジュールと、を含む端末を提供する。
【００１２】
端末が周波数分割複信転送モードを採用する場合、上記送信モジュールは、各転送時間間隔ＴＴＩの中断が来ると、シミュレーションデータに逆高速フーリエ変換を行うように設置される第１のデータ変換ユニットと、高周波ユニットを介して変換後のシミュレーションデータを基地局に送信するように設置される第１の送信ユニットと、を含むことが好ましい。
【００１３】
端末が時分割複信転送モードを採用する場合、上記送信モジュールは、各転送時間間隔ＴＴＩの中断が来ると、現在のＴＴＩがアップリンクサブフレームのスケジューリングに所属するか否かを判定し、ＹＥＳであると、シミュレーションデータに逆高速フーリ中断エ変換を行う第２のデータ変換ユニットと、高周波ユニットを介して変換後のシミュレーションデータを基地局に送信するように設置される第２の送信ユニットと、を含むことが好ましい。
【００１４】
上記データ導入モジュールにより導入されるシミュレーションデータは、予めアルゴリズムのシミュレーションプラットホーム処理を経たデータであり、少なくとも、複数の端末をシミュレーションしたサービスデータ、雑音又は雑音とサービスデータからなるデータの中の一つを含むことが好ましい。
【００１５】
端末は、チャネル化されたメモリ中のシミュレーションデータに巡回冗長検査ＣＲＣを行って、ＣＲＣ検査に成功した後、シミュレーションデータに対して逆高速フーリエ変換を行うように送信モジュールをトリガーする検査モジュールをさらに含むことが好ましい。
【発明の効果】
【００１６】
本発明によると、端末の電源を入れた後、シミュレーションデータを端末のアップリンク主制御デジタルシグナルプロセッサのメモリに導入し、端末の基地局へのアクセスに成功した後、当該シミュレーションデータを送信することによって、単一の端末が複数の端末のデータサービスを同時にローディングできない問題を解決し、雑音送信のシミュレーションローディング、複数の端末による送信のシミュレーションローディング、雑音と端末サービス送信のシミュレーションローディングの目的を実現できる。
【００１７】
ここで説明する図面は、本発明を理解させるためのもので、本発明の一部を構成し、本発明における実施例と共に本発明を解釈し、本発明を不当に限定するのではない。
【図面の簡単な説明】
【００１８】
【図１】本発明の実施例１に係わる端末のアップリンクシミュレーションデータのローディング方法を示すフローチャートである。
【図２】本発明の実施例２に係わる端末のアップリンクシミュレーションデータのローディング方法を示すフローチャートである。
【図３】本発明の実施例３に係わる端末のアップリンクシミュレーションデータのローディング方法を示すフローチャートである。
【図４】本発明の実施例４に係わる端末の構造を示すブロック図である。
【発明を実施するための形態】
【００１９】
以下、図面を参照しつつ実施例を結合して本発明を詳しく説明する。なお、互いに衝突しない限り、本願に記載の実施例及び実施例に記載の特徴を互いに組み合わせることができる。
【００２０】
無線通信システムは、端末と基地局とを含み、端末と基地局との間の接続は、無線通信システムの関連通信標準に準じる。以下の本発明の各実施例は、いずれも無線通信システムに基づいて実施される。
【００２１】
実施例１
図１は、本発明の実施例に係わる端末のアップリンクシミュレーションデータのローディング方法を示すフローチャートであり、図１に示すように、当該方法は以下のステップを含む。
【００２２】
端末は、電源を入れた後、シミュレーションデータを端末のアップリンク主制御デジタルシグナルプロセッサ（Digital  Signal  Processor、以下ＤＳＰと略称）のメモリに導入する（ステップＳ１０２）。
【００２３】
当該シミュレーションデータは、予めアルゴリズムのシミュレーション プラットホーム処理を経たデータであり、少なくとも、複数の端末をシミュレーションしたサービスデータと、雑音又は、雑音とサービスデータからなるデータの中の一つを含む。
【００２４】
当該シミュレーションデータは、テストの要求に応じて生成することができ、例えば、複数の端末をシミュレーションしたサービスデータであることができ、テストの目的を実現するため、予めシミュレーションデータに例えば、アルゴリズムのシミュレーションプラットホーム処理を行うことができる。その中、アルゴリズムのシミュレーション プラットホームをＭＡＴＬＡＢ（Matrix  Laboratory）ソフトウェアによって実現することができ、端末は、このように処理されたシミュレーションデータに対して符号化、変調、チャネル化等の操作を行う必要がなく、端末の処理を簡略化することができる。
【００２５】
端末のメモリは電源が切れた後にメモリ中の内容を失ってしまい、且つ端末の電源を入れずにデータを導入・ローディングすることができないので、本実施例において、端末の電源を入れてからシミュレーションデータを導入する。
【００２６】
端末の電源を入れた後、シミュレーションデータをアップリンク主制御ＤＳＰのメモリに導入するため、端末のインターフェース（即ち、端末の外部のインターフェース又はインターネットアクセス）に上記導入作業を完成するためのデータ導入モジュールを設けることができる。
【００２７】
端末は、アップリンクアクセスを行い、アクセスに成功した後、シミュレーションデータをチャネル化されたメモリに送信する（ステップＳ１０４）。
【００２８】
端末は、ダウンリンク同期プロセスとアップリンクのランダムアクセスプロセスを介して、アップリンクの基地局へのアクセスを実現する。
【００２９】
端末は、各アップリンクサブフレームにおいて、シミュレーションデータにＩＦＦＴを行って、高周波ユニットによって、変換後のシミュレーションデータを基地局に送信する（ステップＳ１０６）。
【００３０】
その中、ステップＳ１０６における各アップリンクサブフレームにてシミュレーションデータに行う処理は、端末が用いた転送モードに応じて行うことができる。例えば、端末は周波数分割複信（Frequency  Division  Duplex、以下ＦＤＤと略称）転送モードであるか、又は時分割複信（Time  Division  Duplex、以下ＴＤＤ）転送モードであることができる。
【００３１】
関連技術において、端末の電源を入れた後、ダウンリンク同期プロセス、アップリンクのランダムアクセスプロセスを介して、端末の基地局へのアクセスを実現する。当該プロセスにおいて、端末がアップリンク受信したローディングデータは、いずれも端末によって媒体アクセス制御（Media  Access  Control、以下ＭＡＣと略称）しスケジューリングして生成したものであって、且つ、端末はローディングデータに符号化、変調、チャネル化等の処理を行わなければならない。また、指定された帯域幅において、同一の時間において一つの端末のデータサービスのみをローディングして送信することができ、同時に複数の端末のデータサービスをローディングして送信することはできない。しかし、本実施例において、端末の電源を入れた後、シミュレーションデータを端末のアップリンク主制御デジタルシグナルプロセッサのメモリに導入し、端末が基地局へのアクセスに成功した後、当該シミュレーションデータを送信する。
【００３２】
本実施例の端末は、指定されたタイミング（例えば、端末の電源を入れた後）に、シミュレーションデータを端末のアップリンク主制御デジタルシグナルプロセッサのメモリに導入し、また、端末の基地局へのアクセスに成功した後、当該シミュレーションデータを送信することによって、単一の端末が複数の端末のデータサービスを同時にローディングできない問題を解決し、雑音送信のシミュレーションローディング、複数の端末による送信のシミュレーションローディング、雑音と端末サービスの送信のシミュレーションローディングの目的を実現できる。本実施例によると、端末のハードウェア及びソフトウェアの開発費用を増加させずに、現在の端末のハードウェア及びソフトウェアリソースを有効に利用して、雑音送信のシミュレーションローディング及び複数の端末による送信のシミュレーションローディングを実現できる。
【００３３】
実施例２
本実施例において、端末がＦＤＤ転送モードである場合を例に説明し、図２は、本発明の実施例に係わる端末のアップリンクシミュレーションデータのローディング方法を示すフローチャートであり、図２に示すように、当該方法は以下のステップを含む。
【００３４】
ローカル保守端末（Local  Maintenance  Terminal、以下ＬＭＴと略称）は、テスト用のシミュレーションデータを、インターネットアクセスを介して端末に接続されたＰＣに記憶する（ステップＳ２０２）。
【００３５】
テスト要求に応じて当該シミュレーションデータを生成することができ、例えば、複数の端末をシミュレーションしたデータサービスであることができ、テストの目的を実現するため、予めシミュレーションデータに符号化、変調、チャネル化等の操作処理を行うことができ、例えば、予めアルゴリズムのシミュレーションプラットホームを介してシミュレーションデータを処理することができる。その中、アルゴリズムのシミュレーション プラットホームはＭＡＴＬＡＢソフトウェアによって実現することができる。
【００３６】
端末の電源を入れた後、インターネットアクセスデータのダウンロードが正常であるか否かを判定し（ステップＳ２０４）、ＹＥＳであると、ステップＳ２０６に移行し、ＮＯであると操作を終了する。
【００３７】
端末は、ＰＣに記憶されたシミュレーションデータを端末のアップリンク主制御デジタルシグナルプロセッサ（Digital  Signal  Processor、以下ＤＳＰＡと略称）のメモリに導入する（ステップＳ２０６）。
【００３８】
端末は、アップリンクアクセスを行い、アクセスに成功した後、チャネル化されたＤＳＰを処理することによって、シミュレーションデータをチャネル化されたメモリに送信する（ステップＳ２０８）。
【００３９】
端末は、各転送時間間隔（Transmit  Time  Interval、以下ＴＴＩと略称）の中断が来ると、シミュレーションデータにＩＦＦＴを行う（ステップＳ２１０）。
【００４０】
端末がＦＤＤモードである場合、各ＴＴＩにいずれもアップリンクサブフレームのスケジューリングがあるので、端末は各ＴＴＩの中断が来ると、シミュレーションデータにＩＦＦＴを行って、変換後のシミュレーションデータを送信する。
【００４１】
ステップＳ２１０を行う前、さらに、端末がシミュレーションデータに巡回冗長検査（Cyclic  Redundancy  Check、以下ＣＲＣと略称）を行うステップを含み、ＣＲＣ検査に成功した後、ステップＳ２１０を実行し、ＣＲＣ検査に成功していないと、操作を終了する。
【００４２】
端末は、高周波ユニットを介して、変換後のシミュレーションデータを基地局に送信する（ステップＳ２１２）。
【００４３】
本実施例の端末は、現場プログラム可能ゲートアレイ（Field  Programmable  Gate  Array、以下ＦＰＧＡと略称）を介して、高周波ユニットに変換後のシミュレーションデータを送信する。
【００４４】
本実施例の端末は、端末の電源を入れた後、シミュレーションデータを端末のアップリンク主制御デジタルシグナルプロセッサのメモリに導入し、また、端末の基地局へのアクセスに成功した後、ＦＤＤモードで当該シミュレーションデータを送信することによって、送信頻度が高くなって、単一の端末が複数の端末のデータサービスを同時にローディングできない問題を解決し、雑音送信のシミュレーションローディング、複数の端末による送信のシミュレーションローディング、雑音と端末のサービス送信のシミュレーションローディングの目的を実現できる。本実施例によると、端末のハードウェア及びソフトウェアの開発費用を増加させずに、現在の端末のハードウェア及びソフトウェアリソースを有効に利用して、雑音送信のシミュレーションローディング及び複数の端末による送信のシミュレーションローディングを実現できる。
【００４５】
実施例３
本実施例において、端末がＴＤＤ転送モードである場合を例に説明し、図３は、本発明の実施例に係わる端末のアップリンクシミュレーションデータのローディング方法を示すフローチャートであり、図３に示すように、当該方法は以下のステップを含む。
【００４６】
ステップＳ３０２〜ステップＳ３０８は、ステップＳ２０２〜ステップＳ２０８と同じであるので、説明を省略する。
【００４７】
端末は、各ＴＴＩの中断が来ると、現在のＴＴＩがアップリンクサブフレームのスケジューリングに所属されるか否かを判定し（ステップＳ３１０）、ＹＥＳであると、ステップＳ３１２を実行し、ＮＯであると、ステップＳ３１４を実行する。
【００４８】
端末は、シミュレーションデータにＩＦＦＴを行った後、高周波ユニットを介して変換後のシミュレーションデータを基地局に送信する（ステップＳ３１２）。
【００４９】
ステップＳ３１２を行う前、さらに、端末がシミュレーションデータに巡回冗長検査（Cyclic  Redundancy  Check、以下ＣＲＣと略称）を行うステップを含み、ＣＲＣ検査に成功した後、ステップＳ３１２を実行し、ＣＲＣ検査に成功していないと、操作を終了する。
【００５０】
次のＴＴＩの中断を待って、次のＴＴＩの中断が来ると、ステップＳ３１０に戻る（ステップＳ３１４）。
【００５１】
端末がＴＤＤ転送モードを採用すると、ＴＤＤ転送モードにおいて端末は現在のサブフレームの配置比率モードに応じてシミュレーションローディングデータをアップリンク/ダウンリンクで交互に送信しなければならないので、現在のＴＴＩがアップリンクサブフレームのスケジューリングでないと、当該シミュレーションデータにＩＦＦＴを行わなく、現在のＴＴＩの中断にてシミュレーションデータを送信しない。
【００５２】
本実施例の端末は、端末の電源を入れた後シミュレーションデータを端末のアップリンク主制御デジタルシグナルプロセッサのメモリに導入し、端末の基地局へのアクセスに成功した後、ＴＤＤモードで当該シミュレーションデータを送信することによって、データ間の干渉が小さく、単一の端末が複数の端末のデータサービスを同時にローディングできない問題を解決し、また、雑音送信のシミュレーションローディング、複数の端末による送信のシミュレーションローディング、雑音及び端末サービス送信のシミュレーションローディングの目的を実現できる。本実施例によると、端末のハードウェア及びソフトウェアの開発費用を増加させずに、現在の端末のハードウェア及びソフトウェアリソースを有効に利用して、雑音送信のシミュレーションローディング及び複数の端末による送信のシミュレーションローディングを実現できる。
【００５３】
実施例４
図４は、本発明の実施例に係わる端末の構造を示すブロック図であり、図４に示すように、当該端末は、データ導入モジュール４０と、データ伝送モジュール４２と、送信モジュール４４と、を含む。以下、当該端末の各モジュールを詳しく説明する。
【００５４】
データ導入モジュール４０は、前記端末の電源を入れた後、シミュレーションデータを端末のアップリンク主制御デジタルシグナルプロセッサのメモリに導入する。
【００５５】
データ伝送モジュール４２は、データ導入モジュール４０に接続され、端末がアップリンクアクセスに成功した後、シミュレーションデータをチャネル化されたメモリに送信するように構成される。
【００５６】
送信モジュール４４は、データ伝送モジュール４２に接続され、各アップリンクサブフレームにおいて、シミュレーションデータに逆高速フーリエ変換を行って、高周波ユニットを介して変換後のシミュレーションデータを基地局に送信する。
【００５７】
端末が周波数分割複信転送モードを採用する場合、送信モジュール４４は、各転送時間間隔ＴＴＩの中断が来ると、シミュレーションデータに逆高速フーリエ変換を行うように設置される第１のデータ変換ユニットと、高周波ユニットを介して変換後のシミュレーションデータを基地局に送信するように設置される第１の送信ユニットと、を含む。
【００５８】
端末が時分割複信転送モードを採用する場合、送信モジュール４４は、転送時間間隔ＴＴＩの中断が来ると、現在のＴＴＩがアップリンクサブフレームのスケジューリングに所属するか否かを判定し、ＹＥＳであると、シミュレーションデータに逆高速フーリエ変換を行うように設置される第２のデータ変換ユニットと、高周波ユニットを介して変換後のシミュレーションデータを基地局に送信するように設置される第２の送信ユニットと、を含む。
【００５９】
その中、データ導入モジュール４０により導入されるシミュレーションデータは、予めアルゴリズムのシミュレーションプラットホーム処理を経たデータであって、少なくとも、複数の端末をシミュレーションしたサービスデータ、雑音又は雑音とサービスデータからなるデータの中の一つを含む。
【００６０】
当該端末が、前記チャネル化されたメモリ中のシミュレーションデータに巡回冗長検査ＣＲＣを行い、ＣＲＣ検査に成功した後、シミュレーションデータに対して逆高速フーリエ変換を行うように送信モジュール４４をトリガーする検査モジュールをさらに含むことが好ましい。
【００６１】
本実施例の端末によると、データ導入モジュール４０によって、端末の電源を入れた後シミュレーションデータを端末のアップリンク主制御デジタルシグナルプロセッサのメモリに導入し、送信モジュール４４が端末の基地局へのアクセスに成功した後、シミュレーションデータにＩＦＦＴを行って、変換後のシミュレーションデータを送信することによって、単一の端末が複数の端末のデータサービスを同時にローディングできない問題を解決し、雑音送信のシミュレーションローディング、複数の端末による送信のシミュレーションローディング、雑音と端末サービス送信のシミュレーションローディングを実現できる。本実施例によると、端末のハードウェア及びソフトウェアの開発費用を増加させずに、現在の端末のハードウェア及びソフトウェアリソースを有効に利用して、雑音送信のシミュレーションローディング及び複数の端末による送信のシミュレーションローディングを実現できる。
【００６２】
以上の実施例による端末のアップリンクシミュレーションデータのローディング方法又は端末を、雑音のシミュレーションテスト、マルチＵＥのシミュレーションテスト等に応用できる。
【００６３】
上述のように、本発明によると、端末が電源を入れた後にシミュレーションデータを端末のアップリンク主制御デジタルシグナルプロセッサのメモリに導入し、端末の基地局へのアクセスに成功した後、シミュレーションデータにＩＦＦＴを行い、変換後のシミュレーションデータを送信することによって、単一の端末が複数の端末のデータサービスを同時にローディングできない問題を解決し、雑音送信のシミュレーションローディング、複数の端末による送信のシミュレーションローディング、雑音と端末サービス送信のシミュレーションローディングの目的を実現できる。本実施例によると、端末のハードウェア及びソフトウェアの開発費用を増加させずに、現在の端末のハードウェア及びソフトウェアリソースを有効に利用して、雑音送信のシミュレーションローディング及び複数の端末による送信のシミュレーションローディングを実現できる。
【００６４】
当業者にとって、上記の本発明の各ブロック又は各ステップは、共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェア及びソフトウェアウェアの結合にも限定されない。
【００６５】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013531408.tif 000003
【図２】
2013531408.tif 000004
【図３】
2013531408.tif 000005
【図４】
2013531408.tif 000006
【国際調査報告】
2013531408.tif 000007
2013531408.tif 000008
2013531408.tif 000009
2013531408.tif 000010